(57)【特許請求の範囲】
【請求項１】
複数の階を含む上部構造物（２）を備えた細長い船体部分（１）を有する浮体構造物または船舶等であって、前記上部構造物（２）は、前記浮体構造物または船舶等の乗客用宿泊設備の主要な部分を含み、前記上部構造物（２）は、前記船体部分（１）より前記浮体構造物または船舶等の幅方向に本質的に狭く、それによって前記浮体構造物または船舶等の幅方向に前記船体部分（１）の外側に延在する、前記船体部分（１）の上方の前記上部構造物（２）と関連する少なくとも１つの幅広デッキ（３）が存在する浮体構造物または船舶等において、
前記幅広デッキ（３）は、前記浮体構造物または船舶等の側部の外側に、及び、前記上部構造物（２）の両側に延在し、前記上部構造物（２）は、前記船体部分（１）の幅方向中央に、前記船体部分（１）の長手方向にわたって、前記船体部分（１）の上に配置されており、耐候性の外側部において測定される前記上部構造物（２）の幅（ｂ１）が、前記幅広デッキ（３）の平均幅（Ｂ）の５０％未満であり、前記上部構造物の本体部分の上に延在する最上部の連続構造物において測定される前記上部構造物（２）の高さ（ｈ１）が、前記上部構造物（２）の高さ（ｈ１）と前記船体部分（１）の高さ（ｈ２）との組み合わせの高さ（Ｈ）の５０％超であることを特徴とする、浮体構造物または船舶等。
【請求項２】
前記幅広デッキ（３）が、前記船体部分（１）と前記上部構造物（２）との間に配置されることを特徴とする、請求項１に記載された浮体構造物または船舶等。
【請求項３】
前記幅広デッキ（３）が、前記上部構造物（２）よりも上に配置されることを特徴とする、請求項１に記載された浮体構造物または船舶等。
【請求項４】
前記幅広デッキ（３）と関連して配置される１つから３つのデッキの間隔を含む区域があり、前記浮体構造物または船舶等は、公共空間を含み、前記公共空間の少なくとも７０％の部分が、前記幅広デッキ（３）のこの区域に配置されることを特徴とする、請求項１に記載された浮体構造物または船舶等。
【請求項５】
前記公共空間が、レストラン、ラウンジ及び他の一般の出入りのための区域、外部デッキ及びサン・デッキ、娯楽空間、気晴らし及び気分転換の空間、乗客の共用のために意図された店等の空間という空間のタイプのうちの１つ又は複数を含むことを特徴とする、請求項４に記載された浮体構造物または船舶等。
【請求項６】
前記上部構造物（２）の長さが、前記浮体構造物または船舶等の最大長さの５０％超であることを特徴とする、請求項１に記載された浮体構造物または船舶等。
【請求項７】
前記幅広デッキ（３）が、前記船体部分（１）の平均幅（ｂ２）よりも５％超広いことを特徴とする、請求項１に記載された浮体構造物または船舶等。
【請求項８】
前記上部構造物（２）が、前記船体部分（１）の長さ方向に配置される２つ以上の上部構造物ユニット（２ａ、２ｂ）を含み、前記上部構造物ユニット（２ａ、２ｂ）が、その長さの５０％未満にわたって並ぶようになっていることを特徴とする、請求項１に記載された浮体構造物または船舶等。
【請求項９】
耐候性の外側部において測定される少なくとも１つの前記上部構造物ユニット（２ａ、２ｂ）の幅（ｂ１）が、前記幅広デッキ（３）の平均幅（Ｂ）の５０％未満であり、前記上部構造物の本体部分の上に延在する最上部の連続構造物において測定される少なくとも１つの前記上部構造物ユニット（２ａ、２ｂ）の高さ（ｈ１）が、前記上部構造物ユニット（２ａ、２ｂ）の高さ（ｈ１）と前記船体部分（１）の高さ（ｈ２）との組み合わせの高さ（Ｈ）の５０％超であり、前記上部構造物ユニット（２ａ、２ｂ）の組み合わせの長さが、前記浮体構造物または船舶等の最大長さの５０％超であることを特徴とする、請求項８に記載された浮体構造物または船舶等。
【請求項１０】
前記浮体構造物または船舶等の乗客用キャビン又は他の宿泊区域の７０％超が、前記上部構造物（２）に配置されることを特徴とする、請求項１に記載された浮体構造物または船舶等。
【請求項１１】
前記上部構造物（２）の前記乗客用キャビンの８０％超が、遮るもののない海の景色を提供する外窓又はバルコニーを備えることを特徴とする、請求項１０に記載された浮体構造物または船舶等。
【請求項１２】
前記幅広デッキ（３）が、少なくとも部分的に覆われること（６）が可能であり、様々な使用のために変更が可能であることを特徴とする、請求項１に記載された浮体構造物または船舶等。
【請求項１３】
前記幅広デッキ（３）が、前記浮体構造物または船舶等の全長の、少なくとも５０％超にわたって延在することを特徴とする、請求項１に記載された浮体構造物または船舶等。
【請求項１４】
前記浮体構造物または船舶等が、単一船体のクルーズ船等であることを特徴とする、請求項１に記載された浮体構造物または船舶等。
【請求項１５】
前記浮体構造物または船舶等が、排気システム（７、７’）を含み、前記排気システム（７、７’）が、前記上部構造物（２）の外側に配置されることを特徴とする、請求項１に記載された浮体構造物または船舶等。
【請求項１６】
前記浮体構造物または船舶等が、排気システム（７’）を含み、前記排気システム（７’）が、前記幅広デッキ（３）の下において前記船体部分（１）から外に向けられていることを特徴とする、請求項１に記載された浮体構造物または船舶等。
【発明の詳細な説明】
【技術分野】
【０００１】
本発明は、請求項１の導入部分に記載された、複数の階を含む上部構造物を備えた細長い船体部分を有する浮体構造物または船舶等に関するものである。この上部構造物は、浮体構造物または船舶等の乗客用宿泊設備の主要な部分を含む。
【背景技術】
【０００２】
本明細書に用いられるいくつかの用語の意味を以下に説明する。メイン・デッキとは、船舶の側部が船舶の事実上全長にわたって延在する最上部のデッキを意味する。それより上のすべてが上部構造物である。したがって、メイン・デッキは、側部から側部までの幅にわたって延在する。すなわち、メイン・デッキは、全幅のデッキである。ここで、宿泊設備とは、乗客すなわち顧客のために確保された空間を意味し、通常は特にキャビンであり、乗務員の宿泊設備は別になっている。船舶は、船体部分及び上部構造物を備える。船体部分の「屋根」は、メイン・デッキである。上部構造物は、メイン・デッキの上に配置される。上部構造物は、２つの部分から構成することができ、より広い部分は、共通の使用のために意図された公共空間を主に含み、より狭い部分、いわゆるキャビン・ブロックは、主にキャビンを含む。より広い部分は、頂部又は下部にあってもよい。
【０００３】
また、本発明に関する、多くの宿泊設備を含むクルーズ船等の浮体構造物は、乗客の共用のために意図された多くのいわゆる公共空間を含む。これらは、たとえば様々なレストラン、バー及び対応するレクリエーション空間、一般の出入り及び娯楽に関する及びそれを意図した空間、様々な運動部屋、並びに、特に、屋外の活動及び日光浴に適する様々な空間及びプールなどを含む。船舶は、船舶の使用計画によっては、店、会議室などをさらに含み得る。これらの公共空間の一部分をその上方及び／又は下方の船舶のメイン・デッキと関連するように、また、別の部分を船舶の上部構造物の最上デッキのサン・デッキと関連するように、分割することが知られている。典型的に、乗客用キャビン又は対応する宿泊設備は、船舶の上部構造物のこれらの区域の間に主に配置される。
【０００４】
また、特に、大型のサン・デッキを必要としないより涼しい地域で運行する船舶においては、公共空間の大部分は、上部構造物の上方部分に配置可能である。
【０００５】
現代の技術では、十分に大きく多目的に使用できる、屋根付き及び特に屋根のない、いわゆるサン・デッキ空間を、複数の階に配置せずにメイン・デッキと関連して配置することには問題がある。
【発明の概要】
【発明が解決しようとする課題】
【０００６】
本発明の目的は、従来技術に見られる欠点を最小限にし、空間及び構造の様々な部分の再配置によって、以前よりも、より大多数の乗客の必要を満たすのに特に適した、機能的により効果的でより安価な浮体構造物又は船舶を提供することのできる新しい構成を提供することである。
【０００７】
本発明の目的は、実質的に、請求項１に記載されるように、そして、他の請求項により詳細に開示されるように達成される。
【課題を解決するための手段】
【０００８】
本発明は、大部分の公共空間及びサン・デッキが、船舶のいわゆるメイン・デッキ又は最上部の及び／若しくは最も広いデッキと関連するように配置される構成をもたらす。このメイン・デッキ区域は、１つから３つのデッキの間隔を典型的に含む。本発明による船舶では、サン・デッキ及び他の公共空間の機能を重複させることが好ましく、時には、食事の際などにサン・デッキが公共空間の機能を補い、時には、日中の間などに公共空間がサン・デッキの機能として使用可能となる。クルーズ船は典型的に大型のサン・デッキを有するので、本発明による解決法では、公共空間のデッキは、好ましくは、船舶の側部の外にまで広げられており、それによって、可能な限り広いデッキ空間を生じる。また、乗客用キャビンの構成を、船体部分より明らかに狭いが高い１つの塔として形成することが好ましい。それによって、大部分のキャビンは海の景色を有することができる。また、上部構造物を、船体部分の上に配置される幅広デッキと関連して、２つ以上の部分に分けることが可能である。
【０００９】
とりわけ、本発明の利点は、浮体構造物、特にクルーズ船又は客船のより魅力的な構成であり、同じ区域内にすべての機能を配置することが可能であるので、船主に対して付加価値をもたらす。典型的な公共空間としてのすべての機能ができる限り集約されているので、船舶の中で上下方向に動く必要性が本質的に低減される。これはまた、階段及びエレベーターの能力の必要性を低減する。船舶を運行している船主にとっては、乗務員の仕事場が主に単一の区域に配置可能となり、また保管及び運搬の必要性が最小になるので、本発明による構成は費用効果が高い。それに対応して、船舶の建造費が低減される。たとえば階段、キッチン及び他の補助的な空間の必要性が、集約の結果低くなるからである。本発明による幅広デッキの大きい幅によって、以前はより大型の船舶においてのみ可能であった大きい一定の空間を、より小型の船舶に配置する機会が与えられる。この空間は多目的に利用できるので、その占有率も増加する。乗客は、キャビンで過ごす時間を除いてすべての時間、同じ区域において移動するので、乗客のために確保される空間の合計は縮小される。
【００１０】
本発明を使用する好適な方法は、すべて又は少なくとも概ねすべての公共空間を、船体部分と上部構造物の狭い部分であるいわゆるキャビン・ブロックとの間に集約し、そこに船舶の側部の外側に延在する幅広デッキを配置することである。代替として、幅広デッキ及び公共空間は、対応して上部構造物の上方部分に集約されてもよい。
【００１１】
以下に、添付の概略的な図を参照して本発明をさらに詳細に説明する。
【図面の簡単な説明】
【００１２】
【図１】本発明による船舶の一実施例を示す断面図である。
【図２】本発明による船舶の別の実施例を示す断面図である。
【図３】本発明による船舶の代替実施例を例示的に示す斜視図である。
【図４】本発明による船舶の代替実施例を例示的に示す斜視図である。
【実施例】
【００１３】
図面において、参照符号１は船舶の船体部分を示す。その上には、上部構造物２がある。上部構造物２は、少なくとも大部分が乗客の宿泊設備のみのために使用される。参照符号３は、本発明による船舶の幅方向に船体部分１を本質的に越えて延在する幅広デッキを示す。参照符号４は、乗客が共用する公共空間を示す。参照符号５は、救命ボートを示す。参照符号Ｈは、構造物の底部から構造物の最上部の連続した部分までの船舶の全高を示す。参照符号ｈ１は、上部構造物２の高さを示し、参照符号ｈ２は、図１の幅広デッキ３の高さまで測定された船体部分１の高さを示す。参照符号Ｂは、幅広デッキ３の幅を示す。この幅が船舶の長さ方向に変化する場合は、参照符号Ｂは幅広デッキ３の平均幅を意味する。上部構造物２の幅は、ｂ１で示されており、耐候性の外側部において測定される。この場合、上部構造物のキャビンはバルコニーを備え得ることが理解されなければならない。バルコニーは壁を備えることができ、その壁は、バルコニーを覆うために任意選択で引くことができ、周囲環境に対する耐候性の防護材としての働くことができる。船体部分の幅はｂ２で示されている。
【００１４】
図１の実施例を参照すると、幅広デッキ３は、船体部分１と上部構造物２との間に配置される。乗客の共用のために意図された少なくとも本質的にすべての公共空間は、幅広デッキ３、実際には１つから３つのデッキと関連して配置される。廊下及び対応する特別な空間並びに乗務員用の空間は、当然ながら、これらの中に含まれない。状況によっては、公共空間は、たとえば壁及び他の装置によって、必要に応じて容易に組み合わせ及び分離が可能である。また、その機能を変えることも可能である。それによって、たとえば、幅広デッキ３は、昼間の間及び好天の際にはいわゆるサン・デッキとして機能し、一方で、夜には、食堂として又は様々な娯楽の目的のために使用される。
【００１５】
幅広デッキ３の有用性は、デッキ又はデッキの一部分に可動式のカバー（図示せず）を設けることによって改善され得る。発生し得る煙及び／又はにおいの問題を最小限にするために、船舶の排気システムは、上部構造物２の下に配置され、排気ガスは幅広デッキ３の下の船体部分１から外へ向けられる（図示せず）ことが好ましい。
【００１６】
実際には、本発明の利点は、上部構造物２の幅ｂ１の主な部分を幅広デッキ３の平均幅の５０％未満に構成することによって最適に実現される。さらに、好ましくは、幅広デッキ３は、船体部分１の平均幅ｂ２よりも５％超広い。さらに、最も好ましくは、上部構造物２の長さは、船舶の最大長の５０％超である。したがって、船舶の公共空間の最大部分が、幅広デッキ３と関連して配置され得る。船舶の公共空間の最大部分は、最も好ましくは少なくとも７０％である。
【００１７】
上部構造物の本体部分の上に延在する最上部の連続構造物において測定される上部構造物２の高さｈ１は、その本体部分が上部構造物２の高さｈ１と船体部分１の高さｈ２との組み合わせの高さＨの５０％超であるように選択されることが好ましい。上部構造物を比較的狭く、したがって軽量化することによって、上部構造物の高さを増すことが可能になる。これによって、少なくとも７０％、好ましくは９０％、又はさらにすべてのキャビンを、顧客すなわち上部構造物２の乗客の収容に使用することができるようになる。それによって、さらに、少なくとも大部分のキャビンがバルコニーを備えることもできる。乗務員用の宿泊設備は、従来は船体部分２に配置され得るが、本発明を使用することによって、乗務員用のキャビンの一部分も上部構造物２に配置することが可能である。また、大型の構造物が上部構造物２の幅方向に延在しないときには、すべてのキャビンは、遮るもののない海の景色を提供することができる。
【００１８】
また、図１の実施例は、上部構造物２が２つ以上の上部構造物ユニット（図４を参照）を備えるように変更可能である。したがって、それらは、その長さの５０％未満にわたって並ぶように、船体部分１の長さ方向に配置される。
【００１９】
図２の実施例では、幅広デッキ３は上部構造物２の上方に配置される。この場合、実際の上部構造物２は、メイン・デッキの上のより広い部分と、より狭い部分、すなわちいわゆるキャビン・ブロックとを備える。それによって、幅広デッキ３は、上部構造物のより狭い部分の上に配置される。この場合、幅広デッキ３と関連して従来技術よりも多くの公共空間を配置することも可能であるが、図１の実施例と同じ大きさの公共空間を集約することは可能でない。
【００２０】
図３及び図４は、図１の実施例を行ういくつかの実際的な変形例を示す。図から分かるように、さらに高い様々な別個の構造物が上部構造物の上にあることが可能であるが、本発明による上部構造物の本体部分の上に延在する最上部の連続構造物において測定される上部構造物の高さを規定するときには、これらは考慮されない。図３の実施例では、船舶の船尾において、煙突７が、幅広デッキを通って上部構造物のそばを明らかに上部構造物より上方へ向けられるよう方向付けられている。それによって、発生し得る煙及びにおいの問題は容易に排除可能である。さらに、図３の実施例では、参照符号６で示されるように、デッキ３の一部分も覆われている。それによって、この部分は風雨からも保護されている。また、カバー６は、必要に応じて開くこともできる。
【００２１】
図４の実施例では、公共空間には、船舶の中央の部分に配置される水泳プール区域８が含まれる。排気管７’が、幅広デッキ３の下において船舶の船尾方向に向けられている。さらに、上部構造物２自体が、続けて配置される２つのユニット２ａ及び２ｂを含む。
【００２２】
本発明思想の実際の実施は、船体部分がそれ自体に含むものに限定されない。したがって、たとえば、船舶が必要に応じてカー・フェリーとしても機能できるように、船体部分が１つ又は複数のカー・デッキを備えることが可能である。この場合、当然ながら、船体部分は、車を移動させるための、既知の開くことのできるランプを備えなければならない。さらに、船体部分は、通常、乗務員用の空間、保守用の空間及び貯蔵部、並びに機械類及び燃料のタンクを含む。
【００２３】
本発明は開示された実施例に限定されないが、いくつかの修正例を添付の特許請求の範囲の範囲内において考慮可能である。
【図１】
0005670348.tif 000002
【図２】
0005670348.tif 000003
【図３】
0005670348.tif 000004
【図４】
0005670348.tif 000005